(57)【要約】【課題】ドアに良好な気密性を確保させて、脱衣室側をドライ空間に維持できるユニットルームを提供する。【解決手段】平面視長方形状のユニットルーム１内に、ユニットルームの長辺３ｂを分割するように仕切りとなるドア５を設け、ドア５の一方側を、給排水設備９，１０と、オーバーフロー孔８ａを有する浴槽８を備えた浴室６とし、ドア５の他方側を脱衣室７として構成する。【選択図】図１
2008095475.tif 000002
【特許請求の範囲】
【請求項１】
平面視長方形状のユニットルーム内に、該ユニットルームの長辺を分割するように仕切りとなるドアを設け、該ドアの一方側を、給排水設備とオーバーフロー手段を有する浴槽を備えた浴室とし、前記ドアの他方側を脱衣室としたことを特徴とするユニットルーム。
【請求項２】
平面視長方形状のユニットルーム内に、該ユニットルームの長辺を分割するように仕切りとなるドアを設け、該ドアの一方側を、給排水設備を備えたシャワー室とし、前記ドアの他方側を脱衣室としたことを特徴とするユニットルーム。
【発明の詳細な説明】
【技術分野】
【０００１】
本発明は、ユニットルームに関するものである。
【背景技術】
【０００２】
従来、特許文献１に開示されているように、入浴設備が設置された設備ユニットの片面半分と、トイレ設備が設置された設備ユニットの片面半分とを、開閉戸にて気密性を確保した状態で分離した構造が存在する。
また、特許文献２に開示されているように、ドアにより、浴槽側と脱衣室側とを遮断できるように構成したユニットルームも存在する。
【特許文献１】特開平４−３６８５７０号公報
【特許文献２】実公昭５０−１７２４１号公報
【発明の開示】
【発明が解決しようとする課題】
【０００３】
上記特許文献１に開示されている設備ユニットでは、浴槽の長辺に開閉戸が設けられているため、開閉戸により止水する長さが長くなり、気密性を確保することが困難となるという問題点があった。また、浴槽にはオーバーフロー手段は備えられていないものであった。
また、上記特許文献２に開示されているユニットルームにおいても、浴槽の長辺側にドアが設けられており、止水長さが長くなり、気密性を確保することが困難となるという問題点があった。
【課題を解決するための手段】
【０００４】
本発明は上記従来の問題点に鑑み案出したものであって、浴槽の短辺側に良好な気密性を確保してドアを設けたユニットルームを提供するものであり、その請求項１は、平面視長方形状のユニットルーム内に、該ユニットルームの長辺を分割するように仕切りとなるドアを設け、該ドアの一方側を、給排水設備とオーバーフロー手段を有する浴槽を備えた浴室とし、前記ドアの他方側を脱衣室としたことである。
【０００５】
また、請求項２は、平面視長方形状のユニットルーム内に、該ユニットルームの長辺を分割するように仕切りとなるドアを設け、該ドアの一方側を、給排水設備を備えたシャワー室とし、前記ドアの他方側を脱衣室としたことである。
【発明の効果】
【０００６】
本発明のユニットルームは、平面視長方形状のユニットルーム内に、該ユニットルームの長辺を分割するように仕切りとなるドアを設け、該ドアの一方側を、給排水設備とオーバーフロー手段を有する浴槽を備えた浴室とし、前記ドアの他方側を脱衣室としたことにより、ドアはユニットルームの短辺に平行に設置されるため、ドアを小さくして止水ラインも短くすることができ、確実に気密性を確保することができて、ドアで浴室側からの水の飛散や湿気を確実に遮断することができるため、脱衣室を防水仕様にする必要がなく、脱衣室を良好なドライ空間に維持することができるものとなる。
【０００７】
また、平面視長方形状のユニットルーム内に、該ユニットルームの長辺を分割するように仕切りとなるドアを設け、該ドアの一方側を、給排水設備を備えたシャワー室とし、前記ドアの他方側を脱衣室としたことにより、ドアはユニットルームの短辺に平行に設置されるため、ドアを小さくして止水ラインも短くすることができ、確実に気密性を確保することができて、ドアでシャワー室側からの水の飛散や湿気を確実に遮断することができるため、脱衣室を防水仕様にする必要がなく、脱衣室を良好なドライ空間に維持することができるものとなる。
【実施例１】
【０００８】
以下、本発明の実施例を図面に基づいて説明する。
図１は、ユニットルームの正面構成図であり、図２は、平面構成図であり、図３は、側面構成図である。
ユニットルーム１は、その底面を構成する防水パン２の周縁に壁パネルを立設して平面視長方形状に形成されている。即ち、ユニットルーム１は、第１長辺壁面３ａと、平行な第２長辺壁面３ｂと、第１短辺壁面３ｃと、平行な第２短辺壁面３ｄにより平面視長方形状に形成されており、第１長辺壁面３ａ側に入口４が形成され、この入口４の近傍に、第１長辺壁面３ａから第２長辺壁面３ｂに亘り短辺壁面３ｃ，３ｄに平行状にドア５が水平面内で開閉可能に設けられており、このドア５により長辺壁面３ａ，３ｂが左右に分割されて、ドア５の左側の空間は浴室６となっており、ドア５の右側空間は脱衣室７となっている。
【０００９】
浴室６には、浴槽８が設置されており、この浴槽８は平面視長方形状に形成されており、浴槽８の上面に形成されている長辺フランジ８１が第１長辺壁面３ａに当接され、対向する長辺フランジ８２が第２長辺壁面３ｂに当接され、短辺フランジ８３が第１短辺壁面３ｃに当接されて設置されており、浴槽８の短辺フランジ８４上に前記ドア５が開閉可能に設置されている。なお、この浴槽８の長辺フランジ８２側には、オーバーフロー孔８ａが開口されており、浴槽８内のオーバーフロー水を良好にこのオーバーフロー孔８ａから排水できるように構成されている。
【００１０】
浴槽８の上方の第２長辺壁面３ｂには水栓９が設置されており、この水栓９にはシャワーホース１０ａを介してシャワーヘッド１０が接続されている。このシャワーヘッド１０を掛止できる上フック１１ａと下フック１１ｂが第２長辺壁面３ｂに設置されており、また、この壁面側に照明器１２が設置されている。
一方、脱衣室７の第２長辺壁面３ｂには洗面器１３が設置されており、その上方に鏡１４が設置され、更にその上方に照明器１５が設置されて、鏡１４の側方に棚１６とタオル掛け１７が設置されている。また、脱衣室７の第２短辺壁面３ｄ側に便器１８が設置されており、便器１８の上方の第２長辺壁面３ｂにはペーパーホルダー１９が設置されている。
【００１１】
なお、前記ドア５は、上枠５１と左右の側枠５２，５３と下枠５４に囲まれて開閉可能に設けられており、ドア５の上端の上枠５１は天井面に水密状に設置され、ドアの左側枠５２は第１長辺壁面３ａに水密状に当接され、ドアの右側枠５３は第２長辺壁面３ｂに水密状に当接されて設置されており、またドア５の下枠５４は、図４の拡大縦断面構成図で示すように、浴槽８の短辺フランジ８４に凹み状に凹部８４ａを形成させておき、この凹部８４ａにパッキン２１を介在させて、短辺フランジ８４の上面と面一状をなすように水密状に嵌め込まれている。なお、図中２２はエプロンである。
このように、ドア５の下枠５４を浴槽のフランジ８４と面一状にして、且つパッキン２１で水密性を確保して設置しておくことにより、ドア５を閉めた状態では、浴室６側からの脱衣室７側への水の飛散、あるいは湿気を確実に遮断することができるものとなり、脱衣室７側を良好なドライ空間に維持することができるものとなる。
【００１２】
なお、ドア５は、ユニットルーム１の短辺壁面３ｃ，３ｄと平行状に設置されており、長さが短いために、パッキン２１等による止水ラインを短くして確実に気密性を確保することができるものとなる。
また、浴槽には、オーバーフロー孔８ａが形成されているため、浴槽水が溢れることがなく、より確実に脱衣室７側への水の流出を防いで、脱衣室７側をドライ空間に維持できるものである。
なお、本例ではドア５は開き戸で構成されているが、このドア５は折り戸であっても、また引き戸で構成しても、同様に良好な気密性を確保することができるものである。
【００１３】
なお、ドア５の下端に、図５の拡大図で示すように、断面Ｔ字状のＴ字パッキン２３を取り付けておき、このＴ字パッキン２３の下端が浴槽８の短辺フランジ８４の上面に接触するように構成して、このＴ字パッキン２３で良好な気密性を確保することもでき、図５の場合は、浴槽の短辺フランジ８４に凹部を形成させる必要がなく、またドア５側の下枠５４を省略できるものである。
【実施例２】
【００１４】
次に、図６の正面図で、また図７の平面図及び図８の側面図で示すユニットルームは、第２実施例である。
本例のユニットルーム１は平面視長方形状に形成されており、第１実施例の構成部材とほぼ同等な構成部材が設置されて構成されているため、同一構成部材については同一符号を付して、その説明を省略する。
【００１５】
本例では、ドア５が第１実施例のものとは異なっており、このドア５は、下枠５４を防水パン２上に水密状に当接させて設置されたものであり、ドア５の上枠５１は天井面に水密状に設置され、ドアの左側枠５２は第１長辺壁面３ａに水密状に当接され、またドアの右側枠５３は第２長辺壁面３ｂに水密状に当接されて設置されており、この上下に長いドア５には、図９の縦断面構成図で示すように中桟５５が設けられており、この中桟５５の上方にドア５が設置され、中桟５５の下方には着脱可能な面材５６が配置されたものとなっている。
【００１６】
図９に示すように、ドア５の下端には断面Ｔ字状のＴ字パッキン２３を取り付けておき、また中桟５５のドア５に当接する部分にもパッキン２４を取り付けておき、このパッキン２３，２４でドア５と中桟５５間の水密性が確保されるように構成されており、中桟５５の下方の面材５６は、浴槽８側の点検時等に取り外して作業口として利用することができるものであり、このような構成では、浴槽８側のエプロン２２を省略することができるものである。
【００１７】
本例においても、ドア５によりユニットルームの長辺壁面３ａ，３ｂを分割して、左側の空間内を浴室６とし、右側の空間内を脱衣室７として構成することができ、ドア５により良好な気密性が確保されて、脱衣室７側を良好なドライ空間に維持できるものである。
【実施例３】
【００１８】
次に、図１０の正面図で、図１１の平面図で示すものは、第３実施例のユニットルームである。
第３実施例のユニットルーム１においても、平面視長方形状に形成されており、第１長辺壁面３ａおよび第２長辺壁面３ｂをそれぞれ分割するようにして、短辺壁面３ｃ，３ｄに平行状にドア５が立設されており、ドア５の左側にはシャワー室２７が形成され、ドア５の右側には脱衣室７が形成されたものである。
シャワー室２７の第１短辺壁面３ｃには、水栓９とシャワーヘッド１０が設置されており、シャワーヘッド１０を掛止するための上フック１１ａおよび下フック１１ｂも設置されている。また、第２長辺壁面３ｂ側には棚１６が設置されている。
【００１９】
このシャワー室２７内でシャワーヘッド１０からシャワー水を噴出させて良好にシャワーを浴びることができるものであり、シャワーによる水の飛散や湿気は良好にドア５により遮断されて、脱衣室７側には流出することがなく、脱衣室７側を良好なドライ空間に維持できるものである。
なお、脱衣室７側の第２短辺壁面３ｄにはキャビネット２８が設置されており、キャビネット２８の上面側に洗面器１３が設置されている。なお、脱衣室７の第２長辺壁面３ｂにはタオル掛け１７が設置されている。
【図面の簡単な説明】
【００２０】
【図１】第１実施例のユニットルームの正面構成図である。
【図２】図１の平面構成図である。
【図３】図１のドアの部分の右側面構成図である。
【図４】図１におけるドアと浴槽の部分の縦断面拡大構成図である。
【図５】ドアと浴槽間の変更例を示す図４に対応させた縦断面構成図である。
【図６】第２実施例のユニットルームの正面構成図である。
【図７】図６の平面構成図である。
【図８】図６のドアの部分の右側面構成図である。
【図９】図６におけるドアと浴槽間の縦断面拡大構成図である。
【図１０】第３実施例のユニットルームの正面構成図である。
【図１１】図１０の平面構成図である。
【符号の説明】
【００２１】
１  ユニットルーム
２  防水パン
３ａ  第１長辺壁面
３ｂ  第２長辺壁面
３ｃ  第１短辺壁面
３ｄ  第２短辺壁面
４  入口
５  ドア
６  浴室
７  脱衣室
８  浴槽
８ａ  オーバーフロー孔
９  水栓
１０  シャワーヘッド
１１ａ，１１ｂ  フック
１３  洗面器
１４  鏡
１６  棚
１７  タオル掛け
１８  便器
１９  ペーパーホルダー
２１  パッキン
２２  エプロン
２３  Ｔ字パッキン
２７  シャワー室
２８  キャビネット
５１  上枠
５２，５３  側枠
５４  下枠
５５  中桟
５６  面材
８１，８２  長辺フランジ
８３，８４  短辺フランジ
８４ａ  凹部
【図１】
2008095475.tif 000003
【図２】
2008095475.tif 000004
【図３】
2008095475.tif 000005
【図４】
2008095475.tif 000006
【図５】
2008095475.tif 000007
【図６】
2008095475.tif 000008
【図７】
2008095475.tif 000009
【図８】
2008095475.tif 000010
【図９】
2008095475.tif 000011
【図１０】
2008095475.tif 000012
【図１１】
2008095475.tif 000013